(57)【要約】【課題】機体を設置面に支障なく設置することを容易にし、且つ、十分な据付強度を有する貯湯式給湯機を提供する。【解決手段】貯湯タンク１を内蔵する略直方体形状の貯湯タンクユニット１００と、貯湯タンクユニット１００の四隅をそれぞれ支持する４本の本体脚８と、を有する貯湯式給湯機であって、本体脚８は、貯湯タンクユニット１００の前面側の一方の隅を支持する第１本体前脚８Ａ１と、前面側の他方の隅を支持する第２本体前脚８Ａ２と、を含む。第２本体前脚８Ａ２は、第１本体前脚８Ａ１よりも鉛直方向に短小に形成され、第２本体前脚８Ａ２と設置面との隙間には、当該隙間を調整するための調整部材１１が配設される。また、本体脚８の下端には、貯湯タンクユニット１００を設置面に固定するための固定部が設けられる。【選択図】図４
2014238205.tif 000002
【特許請求の範囲】
【請求項１】
貯湯タンクを内蔵する略直方体形状の貯湯タンクユニットと、前記貯湯タンクユニットの四隅をそれぞれ支持する４本の本体脚と、を有する貯湯式給湯機であって、
前記本体脚は、
前記貯湯タンクユニットの前面側の一方の隅を支持する第１本体前脚と、
前記貯湯タンクユニットの前面側の他方の隅を支持する第２本体前脚と、を含み、
前記第２本体前脚は、前記第１本体前脚よりも鉛直方向に短小に形成され、
前記第２本体前脚と設置面との隙間に配設されて当該隙間を調整するための調整部材と、
前記本体脚の下端に設けられ、前記貯湯タンクユニットを設置面に固定するための固定部と、
を備える貯湯式給湯機。
【請求項２】
前記固定部は
前記本体脚の下端に設けられ、設置面と接する座面と、
前記座面から鉛直上方向に延出し前記本体脚の側面と係合する係合部と、
前記座面に設けられ、設置面に設けられたアンカー部材を固定するための穴部と、
を含む請求項１に記載の貯湯式給湯機。
【請求項３】
前記調整部材は、
前記座面の下面側に接する第１基部と、
前記第１基部からＵ字状に屈折して前記座面の上面側に接する第２基部と、
前記第２基部から前記本体脚の側面又は前記係合部に沿って鉛直方向に延出する補強部と、
を含む請求項２に記載の貯湯式給湯機。
【請求項４】
前記第２本体前脚と設置面との隙間の大きさに応じて、複数の前記調整部材が重ねて配設されて成る請求項３に記載の貯湯式給湯機。
【請求項５】
前記本体脚は、前記貯湯タンクユニットの側面に沿った方向に隣接する前記本体脚のピッチが前面に沿った方向に隣接する前記本体脚のピッチよりも小さい請求項１乃至４の何れか１項に記載の貯湯式給湯機。
【請求項６】
前記座面はその外形が矩形に構成され、前記貯湯タンクユニットの側面に沿った辺の長さが前記貯湯タンクユニットの前面に沿った辺の長さよりも大きい請求項５に記載の貯湯式給湯機。
【請求項７】
３本脚を有する貯湯式給湯機の脚固定のための前記アンカー部材に対応する穴部と、４本脚を有する貯湯式給湯機の脚固定のための前記アンカー部材に対応する穴部を前記本体脚の１つの座面に複数設けられて成る請求項２乃至６の何れか１項に記載の貯湯式給湯機。
【請求項８】
前記貯湯タンクユニットは、
前記貯湯タンクユニットの前面の下部に設けられた凹部と、
前記凹部から鉛直下方に向かって配管を接続するための接続部と、を備え、
前記接続部は、水平方向の位置が前記第１本体前脚と前記第２本体前脚との間となる部位に設けられている請求項１乃至７の何れか１項記載の貯湯式給湯機。
【発明の詳細な説明】
【技術分野】
【０００１】
本発明は、貯湯タンクを有する貯湯式給湯機に関するものである。
【背景技術】
【０００２】
従来、例えば特許文献１には、脚の高さを調整可能とした給茶機が開示されている。より詳しくは、この給茶機の底面には複数本の脚が備えられ、それぞれの脚がその高さを調整可能に構成されている。このような構成によれば、床盤に対するガタツキが脚の長さ調整により吸収され、機体が床盤に支障無く設置される。
【先行技術文献】
【特許文献】
【０００３】
【特許文献１】特開平１１−３１８６１２号公報
【発明の概要】
【発明が解決しようとする課題】
【０００４】
しかしながら、上述した先行技術の脚構造では、設置後の作業スペースの少ない床盤への設置の場合、製品自体が障害物となり、設置後の後脚の高さ調整が困難であるという課題がある。また、上述した先行技術の脚構造では、脚が設置面に固定されていない為、据付強度（耐震強度）が弱いといった課題があった。
【０００５】
本発明は、上記のような課題を解決するためになされたものであって、機体を設置面に支障なく設置することを容易にし、且つ、十分な据付強度（耐震強度）を有する貯湯式給湯機を提供することを目的とする。
【課題を解決するための手段】
【０００６】
本発明に係る貯湯式給湯機は、貯湯タンクを内蔵する略直方体形状の貯湯タンクユニットと、貯湯タンクユニットの四隅をそれぞれ支持する４本の本体脚と、を有する貯湯式給湯機であって、本体脚は、貯湯タンクユニットの前面側の一方の隅を支持する第１本体前脚と、貯湯タンクユニットの前面側の他方の隅を支持する第２本体前脚と、を含み、第２本体前脚は、第１本体前脚よりも鉛直方向に短小に形成され、第２本体前脚と設置面との隙間に配設されて当該隙間を調整するための調整部材と、本体脚の下端に設けられ、貯湯タンクユニットを設置面に固定するための固定部と、を備えるものである。
【発明の効果】
【０００７】
本発明の貯湯式給湯機によれば、機体を設置面に支障なく設置することを容易にし、且つ、十分な据付強度を有する貯湯式給湯機を提供することが可能となる。
【図面の簡単な説明】
【０００８】
【図１】本発明の実施の形態１に係る貯湯式給湯機の貯湯タンクユニットを正面側から見た図である。
【図２】本発明の実施の形態１に係る貯湯式給湯機の貯湯タンクユニットを正面下方側から見た斜視図である。
【図３】本発明の実施の形態１に係る貯湯式給湯機の貯湯タンクユニットの本体脚を正面側から見た斜視図である。
【図４】本発明の実施の形態１に係る貯湯式給湯機の第２本体前脚の拡大図である。
【図５】本発明の実施の形態２に係る貯湯式給湯機の貯湯タンクユニットを底面側から見た図である。
【図６】本発明の実施の形態３に係る貯湯式給湯機の貯湯タンクユニットを底面側から見た図である。
【図７】本発明の実施の形態４に係る貯湯式給湯機の貯湯タンクユニットを正面側から見た図である。
【発明を実施するための形態】
【０００９】
以下、図面を参照して、本発明の実施の形態について説明する。尚、各図において同一部分または相当部分は、同一の符号を付して、重複する説明を省略する。
【００１０】
実施の形態１．
図１は、本発明の実施の形態に係る貯湯式給湯機の貯湯タンクユニット１００を正面側から見た図である。この図に示すように、貯湯タンクユニット１００は略直方体の形状を有し、その外郭が外郭前面ケース２、外郭右側面ケース３、外郭左側面ケース４、外郭背面ケース５、外郭上面ケース６、および外郭底面ケース７によって構成されている。貯湯タンクユニット１００の内部には貯湯タンク１が収納されており、この貯湯タンク１の外周と貯湯タンクユニット１００の外郭との間は断熱材で覆われている。また、貯湯タンクユニット１００には、機体を支持するための４本の本体脚８が底面の四隅に対応して設けられている。なお、以下の説明では、外郭前面ケース２に沿った水平方向を貯湯タンクユニット１００の左右方向とし外郭右側面ケース３に沿った水平方向を前後方向とする。また、鉛直方向を貯湯タンクユニット１００の上下方向とする。
【００１１】
図２は、本発明の実施の形態に係る貯湯式給湯機の貯湯タンクユニット１００を正面下方側から見た斜視図である。この図に示すように、貯湯タンクユニット１００の本体脚８は本体底面の正面側の各隅に設けられた本体前脚８Ａと、背面側の各隅に設けられた本体後脚８Ｂとで構成されている。
【００１２】
図３は、本発明の実施の形態に係る貯湯式給湯機の貯湯タンクユニット１００の本体脚を正面側から見た斜視図である。この図に示すように、本体前脚８Ａは、第１本体前脚８Ａ１と、第１本体前脚８Ａ１よりも僅かに短小な第２本体前脚８Ａ２とにより構成されている。そして、第２本体前脚８Ａ２は高さ調整板１１を設置面と第２本体前脚８Ａ２との間に挟むことによりその高さの微調整を可能としている。高さ調整板１１は本発明における調整部材に相当する。
【００１３】
また、図３に示すように、各本体脚８には、設置面に接する座面８１と、座面８１から鉛直方向に延出して本体脚８の側面と係合する係合部８２と、が設けられている。係合部８２は、座面８１に対して本体脚８を強固に固定するための補強板として機能する。座面８１にはアンカーボルト固定用の穴８３が設けられており、設置面に固定されたアンカーボルトを当該穴８３に挿入して固定することにより、貯湯タンクユニット１００が設置面に強固に固定される。これにより、貯湯タンクユニット１００の据付強度（耐震強度）が強化される。座面８１、係合部８２及び穴８３は本発明における固定部に相当する。
【００１４】
図４は、本発明の実施の形態に係る貯湯式給湯機の第２本体前脚の拡大図である。この図に示すとおり、高さ調整板１１は、座面８１の下面側に接する第１基部１１１と、第１基部１１１からＵ字状に屈折して座面８１の上面側に接する第２基部１１２と、第２基部１１２から本体脚８の側面及び係合部８２に沿って鉛直方向に延出する補強部１１３とにより構成されている。そして、この図に示すように、据付現場において１乃至複数枚の高さ調整板１１が重ね合わされて（図では２枚）配置されることにより、設置面と座面８１との隙間の大きさに応じた高さ調整を可能としている。また、高さ調整板１１にはアンカーボルト固定用の穴１１４が設けられており、アンカーボルトによる共締めにより座面８１と一体に固定される。なお、高さ調整板１１は、複数枚重ね合わせることが可能となるように寸法違い品を複数準備することが好ましい。
【００１５】
上述したとおり、高さ調整板１１は、補強部１１３が本体脚８の側面及び係合部８２に接しているので、本体脚の据付強度（耐震強度）を有効に強化することが可能となる。また、座面８１及び高さ調整板１１にはアンカーボルト固定用の穴が設けられているので、設置面に固定されたアンカーボルトを当該穴に挿入して固定することにより、貯湯タンクユニット１００が設置面に強固に固定される。これにより、据付強度（耐震強度）が強化される。
【００１６】
以上説明したように、本実施の形態に係る貯湯式給湯機では、貯湯タンクユニット１００の第２本体前脚８Ａ２の高さ調整を可能としているため、４本脚により据付固定する際の機体のガタツキを抑えて据付強度（耐震強度）を強固に高めることができる。また、本実施の形態に係る貯湯式給湯機では、４本の本体脚８のうち貯湯タンクユニット１００の正面側に位置する第２本体前脚８Ａ２においてその高さを調整可能としているため、狭いスペースに設置する場合であっても、高さ調整の作業を円滑に行うことが可能となる。なお、ここでいう正面側とは、貯湯タンクユニット１００に配管や電気配線を接続して設置工事をする際に、配管や電気配線を接続する接続口を有する面側である。このため、必ず正面側は空くことになり作業の円滑性が確保できる。
【００１７】
実施の形態２．
図５は、本発明の実施の形態に係る貯湯式給湯機の貯湯タンクユニット１００を底面側から見た図である。図５に示すように、第１本体前脚８Ａ１、第２本体後脚８Ａ２、及び本体後脚８Ｂの貯湯タンクユニット１００への配置は、前後方向のピッチ（図中のＢ）よりも左右方向のピッチ（図中のＡ）が長くなるように構成されている。このような配置によれば、貯湯タンクユニット１００の左右方向の据付強度（耐震強度）を強化することができる。
【００１８】
さらに、第１本体前脚８Ａ１、第２本体前脚８Ａ２、及び本体後脚８Ｂの座面８１は略矩形に構成され、その寸法は貯湯タンクユニット１００に取り付けた際に左右方向の寸法（図中のＡ１）よりも前後方向の寸法（図中のＢ１）が長くなるように構成されている。このような構成によれば、貯湯タンクユニット１００の前後方向の据付強度（耐震強度）を強化することができる。
【００１９】
以上説明したように、本実施の形態に係る貯湯式給湯機では、貯湯タンクユニット１００の左右方向、前後方向ともに、据付強度（耐震強度）を強固に高めることができる。
【００２０】
実施の形態３．
図６は、本発明の実施の形態に係る貯湯式給湯機の貯湯タンクユニット１００を底面側から見た図である。この図に示すように、本体後脚８Ｂの座面８１には、複数のアンカーボルト位置に対応した穴が複数設けられている。より詳しくは、本体後脚８Ｂには、３本脚給湯機用アンカーボルト固定用穴８３Ａと４本脚給湯機用アンカーボルト固定用穴８３Ｂとがそれぞれ設けられている。このような構成によれば、従来の３本脚を有する貯湯タンクユニットから本実施の形態の４本脚を有する貯湯タンクユニットに交換する場合に、既に設置されている３本脚用のアンカーボルトのうち、後面側２本をそのまま用いて４本脚の貯湯タンクユニットを固定することが可能となる。これにより、後面側２本のアンカーボルトを生かし、施工しやすい前面側のみ２本アンカーボルトを設置すればよいので本体交換(買替)等に容易に対応可能な貯湯式給湯機を提供することが可能となる。
【００２１】
以上説明したように、本実施の形態では、既存の３本脚貯湯式給湯機から４本脚貯湯式給湯機への交換作業を容易に行うことができる。
【００２２】
実施の形態４．
図７は、本発明の実施の形態に係る貯湯式給湯機の貯湯タンクユニット１００を正面側から見た図である。図７に示すように、貯湯タンクユニット１００の前面下方の凹部２０には、風呂配管１２、給水配管１３、給湯配管１４、ＨＰ配管１５等の各配管の接続部が第１本体前脚８Ａ１と第２本体前脚８Ａ２との間となる左右方向の位置に設けられている。また、凹部２０には、電源線１６、リモコン線１７等の電気配線の接続部が、第１本体前脚８Ａ１と第２本体前脚８Ａ２との間となる左右方向の位置以外の位置に設けられている。このような配置によれば、風呂配管１２、給水配管１３、給湯配管１４、およびＨＰ配管１５等の各配管接続を容易に行うことができる。より詳しくは、例えば、設置面から給水配管１３、給湯配管１４等を立上げる施工の場合、アンカーボルト位置と配管接続部との水平方向位置が離れているので、アンカーボルト位置と配管位置の設定を容易に行うことが可能となる。また、本発明の実施の形態に係る貯湯式給湯機によれば、本体脚８が外郭底面ケース７の四隅に配置される。このため、風呂配管１２、給水配管１３、給湯配管１４、ＨＰ配管１５等の各配管を貯湯タンクユニット１００の下部に通す転がし配管を行う場合に、その施工が容易となる。
【００２３】
また、配管接続部に接続する風呂配管１２、給水配管１３、給湯配管１４、ＨＰ配管１５は、配管の曲げＲ等に制約がある。一方、配管接続部に接続する電源線１６、リモコン線１７等の電気配線は比較的自由度が高く曲げＲ等に制約はない。本発明の実施の形態に係る貯湯タンクユニット１００では、本体前脚８Ａから離れた部位に配管の接続部が設けられ、比較的自由度のある電源線１６、リモコン線１７等の電気配線接続部は本体前脚８Ａの近傍の部位に設けられる。これにより、各配管の施工を容易にすることが可能となる。
【００２４】
以上説明したように、本実施の形態では、据付固定する際に、据付強度（耐震強度）を強固に高めた固定を行うことができるとともに、配管施工を容易にすることができる。
【符号の説明】
【００２５】
１  貯湯タンク、８  本体脚、８Ａ  本体前脚、８Ａ１  第１本体前脚、８Ａ２  第２本体前脚、８Ｂ  本体後脚、８１  座面、８２  係合部、８３  アンカーボルト固定用穴（穴部）、１１  高さ調整板（調整部材）、１１１  第１基部、１１２  第２基部、１１３  補強部、１１４  穴、１００  貯湯タンクユニット
【図１】
2014238205.tif 000003
【図２】
2014238205.tif 000004
【図３】
2014238205.tif 000005
【図４】
2014238205.tif 000006
【図５】
2014238205.tif 000007
【図６】
2014238205.tif 000008
【図７】
2014238205.tif 000009